(57)【特許請求の範囲】
【請求項１】
マネキン固定具であって、
下部にはボールジョイント（１１）が設けられ、上部には半円柱形状の固定ピン（２０）と半円柱形状の可変ピン（３０）が設けられる本体（１０）であって、固定ピン（２０）の円弧面には径方向に沿って複数本の第１水平溝部（２１）が設けられ、可変ピン（３０）の円弧面には径方向に沿って複数本の第２水平溝部（３１）が設けられ、可変ピン（３０）の平面と固定ピン（２０）の平面が密着して円柱体形状を呈し、第１水平溝部（２１）と第２水平溝部（３１）の位置が揃っている本体（１０）と、
前記固定ピン（２０）と可変ピン（３０）を貫通する締付用ボルト（４０）と、
前記可変ピン（３０）の円弧面側に設けられ、締付用ボルト（４０）に締結されるロック用ナット（５０）と、
前記固定ピン（２０）の円弧面上に設けられる第１凹み（２４）と前記可変ピン（３０）の円弧面上に設けられる第２凹み（３４）に嵌められ、前記固定ピン（２０）と前記可変ピン（３０）を係止する弾性密封リング（６０）とを含み、
前記固定ピン（２０）の円弧面縁には、軸方向に沿って第１リム部（２３）が設けられており、前記可変ピン（３０）の円弧面縁には、軸方向に沿って第２リム部（３３）が設けられており、
前記第１リム部（２３）には、径方向に沿って２本の第１取付用溝（２５）が設けられており、２本の第１取付用溝の位置は、前記固定ピン（２０）の上部と下部に位置する２本の第１水平溝部の位置とそれぞれ揃っており、
前記第２リム部（３３）には、径方向に沿って２本の第２取付用溝（３５）が設けられており、２本の第２取付用溝の位置は、前記可変ピン（３０）の上部と下部に位置する２本の第２水平溝部の位置とそれぞれ揃っており、
第１取付用溝（２５）と第２取付用溝（３５）の位置は揃っており、第１取付用溝（２５）と第２取付用溝（３５）には、弾性取付用ゴムリング（７０）が設けられていることを特徴とするマネキン固定具。
【発明の詳細な説明】
【技術分野】
【０００１】
本発明は、固定具に関し、特にマネキン固定具に関する。
【背景技術】
【０００２】
通常、美容学校などにおいて、髪型デザインの練習時に、マネキンが使用される。
【０００３】
マネキンは、大体人間の顔の形状を有し、人工毛を植毛され、研修生による人工毛でのデザインの練習に便利である。マネキンの使用に際して、マネキンを安定させる固定装置を作業台に設置する必要がある。
【０００４】
現在、マネキンを作業台に固定する際に、図１に示すような固定具が使用されている。
【０００５】
固定具本体１０の下部は、ボールジョイント１１（balljoint）を介してクランプ３に連結されており、縦の状態で作業台４に固定される。本体１０の上部には、本体１０と一体形成した固定ピン２０を有し、固定ピン２０と可変ピン３０は、マネキンの下端の固定孔２に挿入される。
【０００６】
ロック用ナット５０は、本体の外側に位置し、締付用ボルト４０に締結される。ロック用ナット５０を締結することによって、固定ピン２０と可変ピン３０の上部を分離させ、固定ピン２０と可変ピン３０の外面が固定孔２の内側表面に密着し、マネキン１を固定することができる。
【０００７】
すべり止めのため、固定ピン２０と可変ピン３０の外周面には、複数の水平溝部が設けられている。
【発明の概要】
【発明が解決しようとする課題】
【０００８】
このようなマネキン（manikin）の底部の固定孔２の形状や寸法は、固定的なものではない。しかも、マネキン固定機能を有する固定具本体１０は主に金属材料からなり、表面が滑らかであり、マネキンの固定孔２の内側表面に密着することができない。したがって、髪型デザイン練習中に衝突や振動があると、マネキンが緩くなることが生じ、研修生の操作にとって不便になる。
【０００９】
また、髪型デザイン作業中に、固定具の固定ピン２０と可変ピン３０の外表面とマネキンの固定孔２の内側面との間に細微な隙間があると、マネキンのがたつきにより騒音が発生し、研修生が練習に集中することができない。
【００１０】
本発明の目的は、マネキン固定具を提供することにより、前記従来技術の問題のうちの一つまたは複数を解決することにある。
【課題を解決するための手段】
【００１１】
本発明の一側面に係るマネキン固定具は、本体を含み、本体の下部には、ボールジョイントが設けられ、本体の上部には半円柱形状の固定ピンと半円柱形状の可変ピンが設けられる。固定ピンは、本体と一体成形されている。固定ピンの円弧面には径方向に沿って複数本の第１水平溝部が設けられ、可変ピンの円弧面には径方向に沿って複数本の第２水平溝部が設けられる。可変ピンの平面と固定ピンの平面が密着して円柱体形状を呈する。第１水平溝部と第２水平溝部の位置が揃っている。固定ピンと可変ピンを貫通する締付用ボルトを含む。可変ピンの円弧面側に設けられ、締付用ボルトにねじ込まれるロック用ナットと、固定ピンの円弧面上に設けられる第１凹みと可変ピンの円弧面上に設けられる第２凹みに嵌められ、固定ピンと可変ピンを係止する弾性密封リングとを含む。固定ピンの円弧面縁には、軸方向に沿って第１リム部が設けられている。可変ピンの円弧面縁には、軸方向に沿って第２リム部が設けられている。第１リム部には、径方向に沿って２本の第１取付用溝が設けられており、２本の第１取付用溝の位置は、固定ピンの上部と下部に位置する２本の第１水平溝部の位置とそれぞれ揃っている。第２リム部には、径方向に沿って２本の第２取付用溝が設けられており、２本の第２取付用溝の位置は、可変ピンの上部と下部に位置する２本の第２水平溝部の位置とそれぞれ揃っている。第１取付用溝と第２取付用溝の位置は、揃っている。第１取付用溝と第２取付用溝には、弾性取付用ゴムリングが設けられている。
【発明の効果】
【００１２】
本発明のマネキン固定具には、上下２つの、固定ピンと可変ピンの外周面から突出した弾性取付用ゴムリングが設けられている。マネキンを固定するために可変ピンと固定ピンを分離させるとき、弾性取付用ゴムリングの外面がマネキンの固定孔の内側表面に密着することができ、マネキンを固定する機能を奏する。また、髪型デザイン練習中に、衝突または振動が繰り返して伝達されても、弾性取付用ゴムリングが設けられているため、固定ピンと可変ピンの解体を防止することができるとともに、騒音の発生を防止することもできる。さらに、各メーカー製のマネキン上の固定孔の形状や寸法がそれぞれ異なるとしても、固定ピンと可変ピンに嵌められる弾性取付用ゴムリングが差を補うことができ、各種類のマネキンを長時間にわたって安定した状態を維持することができる。したがって、研修生は、髪型デザインの練習に注意力を集中させることができる。
【図面の簡単な説明】
【００１３】
【図１】従来技術におけるマネキン固定具の立体構造図である。
【図２】本発明の実施形態のマネキン固定具の弾性取付用ゴムリング分解状態の斜視図である。
【図３】図２に示すマネキン固定具の使用状態において固定ピンと可変ピンが密着状態にある部分断面図である。
【図４】図２に示すマネキン固定具の固定ピンと可変ピンが分離状態にありマネキンを固定する部分断面図である。
【図５】図３の平面図である。
【図６】図４の平面図である。
【発明を実施するための形態】
【００１４】
以下、図面を参照して発明についてさらに詳細な説明をする。
【００１５】
図１ないし図６に示すように、本発明に係るマネキン固定具は、主に美容学校などにいる研修生がマネキン１を作業台に固定させて設置することができるようにするためのものである。
【００１６】
強度を保持するために、マネキン固定具の本体１０は、金属材料を用いており、下部には、クランプ（clamp）３にねじ込まれているボールジョイント（balljoint）１１を有する。本体１０とボールジョイント１１は、一体形成されている。
【００１７】
ボールジョイント１１は、クランプ３にねじ込むことができ、かつ方向上の制限なしに回転することができる。
【００１８】
ロック用ボルト５をねじ込むと、クランプ３は、作業台４に固定できるようになり、しかも任意の位置において本体１０を固定することができる。この点では、従来技術と同一である。
【００１９】
本体１０の上部には、半円柱または半円台形状の固定ピン２０が設けられており、固定ピン２０は本体１０と一体に形成されている。該固定ピン２０の円弧面には、複数の第１水平溝部２１が設けられている。
【００２０】
固定ピン２０の円弧面には、さらに、第１水平溝部２１に対して交差しかつ垂直となる第１垂直溝部２２が設けられている。
【００２１】
該固定ピン２０は、可変ピン３０に密着し、円柱体または円台形状を呈する。
【００２２】
可変ピン３０は、本体１０と同様に金属材質を用いており、固定ピン２０に対応する半円柱または半円台形状に製作されている。可変ピン３０の円弧面には、複数の第２水平溝部３１が設けられている。
【００２３】
該可変ピン３０の円弧面には、さらに、第１水平溝部３１に対して交差しかつ垂直となる第２垂直溝部３２が設けられている。
【００２４】
締付用ボルト４０は、固定ピン２０と可変ピン３０の下部を貫通する。
【００２５】
締付用ボルト４０は、一端が固定ピン２０の内側に固定されており、他端にはロック用ナット５０が設けられている。
【００２６】
また、固定ピン２０の下部には、径方向に沿って第１凹み２４が開けられており、可変ピン３０の下部には、径方向に沿って第２凹み３４が開けられている。第１凹み２４と第２凹み３４は揃っている。第１凹み２４と第２凹み３４には、弾性密封リング６０が嵌められる。弾性密封リング６０により、可変ピン３０を固定ピン２０に密着させることができるようにする。
【００２７】
弾性密封リング６０は、弾力性に優れるスプリングスチールなどの金属材料を用いて密封リングの形状に製作されている。
【００２８】
本発明の最も主要な構造上の特徴として、前記固定ピン２０と可変ピン３０が密着して形成した円柱体または円台の直径よりも大きい直径を有する弾性取付用ゴムリング７０を一つまたは複数個設けることにより、固定ピン２０と可変ピン３０がマネキン１の固定孔２内に差し込まれるときに弾性取付用ゴムリング７０がマネキン１の固定孔２の内側に密着し、安定な状態を維持する。
【００２９】
固定ピン２０の円弧面縁には、軸方向に沿って第１リム部２３が設けられており、可変ピン３０の円弧面縁には、軸方向に沿って第２リム部３３が設けられている。第１リム部２３には、径方向に沿って２本の第１取付用溝２５が設けられている。２本の第１取付用溝の位置は、固定ピン２０の上部と下部に位置する２本の第１水平溝部の位置とそれぞれ揃っている。第２リム部３３には、径方向に沿って２本の第２取付用溝３５が設けられている。２本の第２取付用溝の位置は、可変ピン３０の上部と下部に位置する２本の第２水平溝部の位置とそれぞれ揃っている。第１取付用溝２５と第２取付用溝３５には、弾性取付用ゴムリング７０が設けられている。
【００３０】
該弾性取付用ゴムリング７０は、断面がＯ形状であり、第１取付用溝２５と第２取付用溝３５に設けられており、その外径は、固定ピン２０と可変ピン３０の密着状態時の外径より大きい寸法になっている。
【００３１】
第１リム部２３と第２リム部３３に設けられる２本の第１取付用溝２５と２本の第２取付用溝３５は、図示のように、上下に一定の間隔を置いている。該第１取付用溝２５と２本の第２取付用溝３５には、それぞれ１つの弾性取付用ゴムリング７０が設けられており、マネキンの移動を防止することができ、安定な状態を維持することができる。
【００３２】
図示のように、固定ピン２０と可変ピン３０の２本の第１取付用溝２５と２本の第２取付用溝３５にそれぞれ１つの弾性取付用ゴムリング７０が嵌められると、固定ピン２０と可変ピン３０がマネキン１の底面の固定孔２に挿入したときに、固定ピン２０と可変ピン３０は、相互密着の状態に保持することができる。
【００３３】
固定ピン２０と可変ピン３０を固定孔２に挿入し、ロック用ナット５０を締結すると、図４ないし図６に示すように、固定ピン２０と可変ピン３０の上端部が分離する。このとき、固定ピン２０と可変ピン３０の上下の第１取付用溝２５と第２取付用溝３５にそれぞれ嵌められた弾性取付用ゴムリング７０は伸ばされ、弾性取付用ゴムリング７０の外面が固定孔２の内側壁に密着する。
【００３４】
これらの弾性取付用ゴムリング７０を介して、固定孔２と、固定ピン２０、可変ピン３０との密着固定が維持される。
【００３５】
しかも、各マネキンメーカ製の固定孔２の形状や寸法はそれぞれ異なるとしても、弾性取付用ゴムリング７０が差を克服することができ、マネキン１が安定的に固定される。
【００３６】
また、髪型デザイン練習の作業中に、マネキンが衝撃または振動を繰り返して受けても、弾性取付用ゴムリング７０で緩衝することができる。弾性取付用ゴムリング７０が取り付けられることによって、固定ピン２０と可変ピン３０の解体や、騒音の発生を防止することもできる。
【００３７】
以上述べたのは、単に本発明の一部の実施形態に過ぎない。当該分野の一般的な技術者にとって、本発明の創造思想を逸脱しない前提のもと、さらにいくつかの変形や改良をすることができ、これらも本発明の保護範囲に属する。
【図１】
0005529994.tif 000002
【図２】
0005529994.tif 000003
【図３】
0005529994.tif 000004
【図４】
0005529994.tif 000005
【図５】
0005529994.tif 000006
【図６】
0005529994.tif 000007